(57)【要約】【課題】製造コストを減らしつつ、作業現場で特別な工具を用いることなく、安全で簡単且つ容易に単心分離を行うことが可能な光ケーブル及び単心分離方法を提供する。【解決手段】複数本の光ファイバ心線２１〜２４を一括被覆２５で一体化した光ファイバテープ心線２０の複数枚を集合して上巻きテープ１３で覆い、その外側をシース１４で被覆した光ケーブル１１’である。光ファイバ心線を露出させる切欠き２７が、一括被覆の光ファイバ心線間に形成されている。【選択図】図４
2014115312.tif 000002
【特許請求の範囲】
【請求項１】
複数本の光ファイバ心線を一括被覆で一体化した光ファイバテープ心線の複数枚を集合して上巻きテープで覆い、その外側をシースで被覆した光ケーブルであって、
前記光ファイバ心線を露出させる切欠きが、前記一括被覆の光ファイバ心線間に形成されていることを特徴とする光ケーブル。
【請求項２】
前記光ファイバテープ心線は、前記一括被覆の光ファイバ心線間に、前記光ファイバ心線の長手方向に沿って延びた窪みを有し、前記切欠きが、前記窪みに形成されていることを特徴とする請求項１に記載の光ケーブル。
【請求項３】
前記切欠きは、前記光ファイバ心線の並列方向で同じ光ファイバ心線の両側に設けないようにされていることを特徴とする請求項１又は２に記載の光ケーブル。
【請求項４】
前記上巻きテープの長手方向の側縁には、間欠的に切れ目が入っていることを特徴とする請求項１〜３のいずれか１項に記載の光ケーブル。
【請求項５】
複数本の光ファイバ心線が一括被覆で一体化され、前記光ファイバ心線を露出させる切欠きが前記一括被覆の光ファイバ心線間に形成された光ファイバテープ心線を上巻きテープで覆い、その外側をシースで被覆してなる光ケーブルの単心分離方法であって、
前記光ケーブルから所定長除去してアルコールに浸された上巻きテープで、前記光ファイバテープ心線を長手方向にしごくことにより、前記光ファイバテープ心線から前記光ファイバ心線を単心分離することを特徴とする単心分離方法。
【発明の詳細な説明】
【技術分野】
【０００１】
本発明は、複数本の光ファイバ心線を一括被覆で一体化した光ファイバテープ心線が上巻きテープで覆われ、その外側をシースで被覆してなる光ケーブル及び該光ケーブルの単心分離方法に関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増加している。このＦＴＴＨでは、架空又は地下埋設の幹線光ケーブルからドロップ光ケーブルを用いて加入者宅等に引き落されている。加入者宅への光ファイバの引き落しは、例えば、市街の電柱等に敷設された幹線光ケーブルを、通常、クロージャと称されている接続函で分岐し、分岐された光ファイバ心線にドロップ光ケーブルを融着接続又は光コネクタを用いて接続している。
【０００３】
この幹線光ケーブルの途中部分から光ファイバを引き出す分岐作業は、中間後分岐とも言われており、まず、幹線光ケーブルの分岐部分のシースを、例えば、５００ｍｍ程度の一定の長さで除去する。次に、露出した上巻きテープをカッタ等の刃物を用いて切断する。続いて、上巻きテープを巻きほぐして剥ぎ取り、幹線光ケーブルに収納されている光ファイバテープ心線を取り出すと、１本〜数本の光ファイバ心線を分岐することができる。
【０００４】
しかし、カッタ等の刃物を用いてシースや上巻きテープに切込みを入れる場合、刃物で光ファイバテープ心線を傷つける虞がある。
これに対して、例えば、特許文献１には、光ファイバテープ心線を厚さ方向から挟持可能な鑢板を設け、鑢板を一定の押付力で光ファイバテープ心線に当接するようにばねで付勢し、その状態で工具をスライド移動させることで、光ファイバテープ心線の一括被覆を鑢板により傷付けるようにした技術が開示されている。
【０００５】
また、特許文献２には、一対の工具ベースを閉じることにより分離刃によって支持溝に支持された光ファイバテープ心線（４心）の中央部に切り込みを入れ、さらに、この切り込みにより２つに分割された光ファイバテープ心線（２心）の中央部に切り込みを入れて単心分離するようにした技術が開示されている。
また、特許文献３には、光ファイバテープ心線の一括被覆の弾性率よりも大きく且つ光ファイバ着色層の弾性率よりも小さい弾性率を有するしごき部材によってしごくことで一括被覆にせん断応力を発生させ、この一括被覆のみを破断させるようにした技術が開示されている。
【０００６】
また、特許文献４には、光ファイバテープ心線の少なくとも一方の面に当接する複数の可とう性部材を備え、その部材間に光ファイバテープ心線から分離された単心の光ファイバ心線を１本以上収容可能とした技術が開示されている。
また、特許文献５には、光ファイバテープ心線の一括被覆のヤング率よりも大きなヤング率を有する突起が上巻テープに設けられており、この上巻テープで一括被覆をしごくことで一括被覆を破断させるようにした技術が開示されている。
【先行技術文献】
【特許文献】
【０００７】
【特許文献１】特開平１０−３１９２５１号公報
【特許文献２】特開２００４−７００６０号公報
【特許文献３】特開２００４−３１７６７１号公報
【特許文献４】特開２００６−１０６１５７号公報
【特許文献５】特開２０１１−１４１３８５号公報
【発明の概要】
【発明が解決しようとする課題】
【０００８】
ところで、光ファイバ心線の分岐作業は、電柱上やバケット車上というような作業環境の悪い状況で行うことが多く、できるだけ安全で簡単且つ容易に行えることが要望されている。しかしながら、上記特許文献１〜４に記載の技術はいずれも専用の単心分離工具を必要とし、さらに、作業者はこの専用工具の使い方に習熟しなくてはならないことから、このような要望を満たすことはできない。
この場合、上記特許文献５に記載の技術によれば、作業現場で特別な工具を用いずに済み、安全で簡単且つ容易に単心分離を行えるが、汎用の上巻きテープとは異なる特殊な上巻きテープが必要になるため、光ケーブルの製造コストの低廉化を達成し難い。
【０００９】
本発明は、上述のような実情に鑑みてなされたもので、製造コストを減らしつつ、作業現場で特別な工具を用いることなく、安全で簡単且つ容易に単心分離を行うことが可能な光ケーブル及び単心分離方法の提供を目的とする。
【課題を解決するための手段】
【００１０】
本発明による光ケーブルは、複数本の光ファイバ心線を一括被覆で一体化した光ファイバテープ心線の複数枚を集合して上巻きテープで覆い、その外側をシースで被覆した光ケーブルであって、光ファイバ心線を露出させる切欠きが、一括被覆の光ファイバ心線間に形成されている。
【００１１】
また、光ファイバテープ心線は、一括被覆の光ファイバ心線間に、光ファイバ心線の長手方向に沿って延びた窪みを有し、切欠きが、窪みに形成されていてもよい。また、切欠きは、光ファイバ心線の並列方向で同じ光ファイバ心線の両側に設けないようにされていてもよい。また、上巻きテープの長手方向の側縁には、間欠的に切れ目が入っていることが望ましい。
【００１２】
また、上記の光ケーブルの単心分離方法は、複数本の光ファイバ心線が一括被覆で一体化され、光ファイバ心線を露出させる切欠きが一括被覆の光ファイバ心線間に形成された光ファイバテープ心線を上巻きテープで覆い、その外側をシースで被覆してなる光ケーブルの単心分離方法であって、光ケーブルから所定長除去してアルコールに浸された上巻きテープで、光ファイバテープ心線を長手方向にしごくことにより、光ファイバテープ心線から光ファイバ心線を単心分離することができる。
【発明の効果】
【００１３】
本発明の光ケーブルによれば、光ファイバテープ心線を構成する一括被覆に、その内部の光ファイバ心線を露出させる切欠きが形成されており、例えば、アルコールが切欠きを介して一括被覆と光ファイバ心線との間に浸み込むことが可能となる。この結果、製造コストを減らしつつ、作業現場で特別な工具を用いることなく、安全で簡単且つ容易に単心分離を行うことができる。
【図面の簡単な説明】
【００１４】
【図１】本発明による光ケーブルの一例を説明する図である。
【図２】本発明による光ケーブルの一例を説明する図である。
【図３】光ファイバテープ心線の一例を説明する図である。
【図４】本発明の光ケーブルによる単心分離方法の一例を説明するための図である。
【発明を実施するための形態】
【００１５】
図１、図２により本発明の実施の形態を説明する。図１（Ａ）は光ケーブルの概略を示し、図１（Ｂ）はスロット型光ケーブルへの適用例を説明する図である。図中、１１，１１’は光ケーブル、１２は集合コア、１３は上巻きテープ、１４はシース、１５はスロット、１５ａは収納溝、１５ｂはリブ、１６はテンションメンバ、２０は光ファイバテープ心線を示す。
【００１６】
本発明の光ケーブルは、図１に示すように、複数の光ファイバが収納され束ねられた状態の集合コア１２の外周を、シース１４で被覆した構造の光ケーブル１１，１１’を対象とする。なお、集合コア１２とは、多心の光ファイバテープ心線をスロットレスで集合させ、その外側を上巻きテープ（押え巻きテープとも言う）１３等で束ねた状態のもの、又は、多心の光ファイバテープ心線を図１（Ｂ）に示すスロット１５に収納し、上巻きテープ１３等により保持した状態のものを言うものとする。
【００１７】
図１（Ｂ）に示すスロット型の光ケーブル１１’は、地下管路等に敷設される幹線用の光ケーブルとして多用されている幹線光ケーブルである。この光ケーブル１１’は、中心にテンションメンバ（抗張力体とも言う）１６を埋設一体化し、複数条の収納溝１５ａを設けた樹脂製のスロット（スペーサとも言う）１５により構成される。
収納溝１５ａは、テンションメンバ１６側に底面を有し、スロット１５の周方向に沿って略等間隔で配置されており、隣り合う収納溝１５ａはリブ１５ｂで区分される。
【００１８】
図２に示すように、収納溝１５ａは、光ケーブル１１’の長手方向に沿って螺旋状又はＳＺ状に形成され、収納溝１５ａ内には、複数枚の光ファイバテープ心線２０が収納される。
光ファイバテープ心線２０が収納溝１５ａ内に収納された状態で、スロット１５の外周に上巻きテープ１３が施される。この上巻きテープ１３は、収納溝１５ａに収納された光ファイバテープ心線２０が外に飛び出さないように保持すると共に、シース１４の成形時の熱絶縁層、あるいは、光ケーブル内への止水のため吸水剤を付与して吸水層として機能させることもできる。
【００１９】
上巻きテープ１３は、低融点の熱可塑性樹脂（例えば、ポリエステル）の繊維を含む不織布や積層体が用いられ、そのテープ幅としては、例えば、１０ｍｍ〜３０ｍｍ程度のものを用いることができる。
上巻きテープ１３は、螺旋状に巻き付ける横巻き、又は、光ケーブル１１’の長手方向に縦添えして巻き付けるかのいずれかの形態を用いることができ、上巻きテープ１３が施された状態で集合コア１２とされる。
【００２０】
上巻きテープ１３は、作業者が手で切れるように構成され、例えば、上巻きテープ１３には切れ目１３ａが入れられている。図２に示した切れ目１３ａは、上巻きテープ１３の長手方向の側縁に間欠的に設けられており、上巻きテープ１３の長手方向の破断張力が１００Ｎ／２５ｍｍ幅以下になるように、例えば、２５ｍｍのテープ幅に対して約１５０ｍｍの間隔で設定されている。
なお、スロット１５の外側で且つ上巻きテープ１３の内側には、ナイロン糸、プラスチックテープ等の粗巻き１７が施されることもある。
【００２１】
集合コア１２は押出し成形によるシース１４で被覆される。シース１４は、集合コア１２の外側に、例えば、ポリエチレン樹脂又は難燃ポリエチレン樹脂が押出し成形されている。なお、シース１４は、集合コア１２をドラム等に一旦巻き取り、その後、押出し機に通して上巻きテープ１３の周囲に成形されるが、ドラムに巻き取らずに、スロット１５への上巻きテープ１３の巻き付けに続けて成形される場合もある。
【００２２】
本発明は、上述した光ファイバテープ心線２０の一括被覆に、その内部を露出させる切欠きを設けた構成を特徴としている。
図３（Ａ）は光ファイバテープ心線２０の外観斜視図、図３（Ｂ）は断面図である。光ファイバテープ心線２０は、例えば、４本の光ファイバ心線２１〜２４が平面上に並列配置され、これら４本の光ファイバ心線２１〜２４が共通の一括被覆２５で覆われてテープ状に形成されている。なお、光ファイバテープ心線は、６本や８本などの光ファイバ心線で構成することも可能である。
【００２３】
なお、本発明における光ファイバ心線には、コア及びクラッドからなるガラス部分や、ガラス部分を被覆する光ファイバ用ＵＶ樹脂層を施しただけの光ファイバ素線と称されているもの、および、図３に示す光ファイバ心線２１のように、ガラス部分２１ａを被覆する光ファイバ用ＵＶ樹脂層２１ｂの外面に着色層２１ｃ等を施したものも含まれる。なお、光ファイバ心線２１の着色層２１ｃは、例えば、青色に着色されている。
【００２４】
光ファイバ心線２２〜２４についても、光ファイバ心線２１と同様にガラス部分や光ファイバ用ＵＶ樹脂層を有し、各光ファイバ用ＵＶ樹脂層の外面には、例えば、白色の着色層２２ｃ、茶色の着色層２３ｃ、灰色の着色層２４ｃをそれぞれ有している。
これら４本の光ファイバ心線２１〜２４が、例えば、紫外線硬化樹脂からなる一括被覆２５で一体化されている。なお、図３（Ｂ）のＴは、光ファイバテープ心線２０のテープ厚、Ｄは、光ファイバ心線２１〜２４の外径を示しており、例えば、テープ厚Ｔは約０.２８ｍｍ、外径Ｄは約０.２５ｍｍである。このため、一括被覆２５による被覆厚は、例えば、０.０２ｍｍ以下で構成されている。
【００２５】
ここで、一括被覆２５は、光ファイバ心線間に窪み２６を有するものが望ましい。詳しくは、図３に示すように、窪み２６は、光ファイバ心線２１と光ファイバ心線２２との間、光ファイバ心線２２と光ファイバ心線２３との間、光ファイバ心線２３と光ファイバ心線２４との間にそれぞれ形成され、光ファイバ心線２１〜２４の長手方向に沿って延びている。
【００２６】
そして、一括被覆２５には、切欠き２７が設けられている。図３に示した切欠き２７は、光ファイバテープ心線２０の一方の面側にだけ形成され、且つ一括被覆２５のうち窪み２６に設けられているが、光ファイバ心線２１〜２４の並列方向で同じ光ファイバ心線の両側に設けないようにされている。具体的には、切欠き２７は、光ファイバ心線２１と光ファイバ心線２２との間、光ファイバ心線２３と光ファイバ心線２４との間にのみ形成され、光ファイバ心線２２と光ファイバ心線２３との間には形成されていない。
【００２７】
切欠き２７は、着色層が露出するように形成されていて、光ファイバ心線２１と光ファイバ心線２２との間に設けられた切欠き２７からは、例えば、青色の着色層２１ｃ及び白色の着色層２２ｃが、この切欠き２７を介して一括被覆２５の外部から見ることができる。また、光ファイバ心線２３と光ファイバ心線２４との間に設けられた切欠き２７からは、茶色の着色層２３ｃ及び灰色の着色層２４ｃが、この切欠き２７を介して一括被覆２５の外部から見ることができる。
【００２８】
切欠き２７が形成された部分を、後述のように集中的にしごき、互いに引き離す方向（光ファイバ心線の長手方向と直交する方向）に引っ張ることで、一括被覆２５の引き裂きをより簡単に行うことができる。
なお、切欠き２７は、光ファイバ心線の長手方向に沿って間欠的に形成されており、所定長さの切込み部分と非切込み部分とが交互に設けられているが、これら切込み部分及び非切込み部分は、種々のパターンで形成可能である。図３では、光ファイバ心線２１〜２４の並列方向で隣り合う切欠き２７の位置が一致するように形成しているが、隣り合う切欠きの位置が異なるように形成してもよい。
【００２９】
また、これら切込み部分の長さと非切込み部分の長さは、任意に設定可能であり、例えば、光ファイバ心線の単心分離性を重視する場合、切込み部分の長さを非切り込み部分よりも長くする。一方、光ファイバテープ心線の一体性を重視する場合、非切込み部分の長さを切り込み部分よりも長くする。もしくは、単心分離性と一体性をバランスさせる場合、切込み部分と非切り込み部分の長さを等しくしてもよい。
【００３０】
なお、切欠き２７は、光ファイバ心線２１〜２４を一括被覆２５で一体化した後に、カッタ刃で切込みを入れる。あるいは、切込み部分が形成できるように、一括被覆を押出してもよい。また、図３で説明した切欠きは、光ファイバ心線の長手方向に沿って間欠的に形成されていたが、光ファイバ心線の長手方向に沿って連続的に形成することも可能である。
【００３１】
図４は、本発明の光ケーブルによる単心分離方法の一例を説明するための図である。
光ケーブルの分岐作業にあたっては、まず、作業者は、光ケーブル１１’の中間分岐させたい部分のシース１４を一定長さだけ除去する。このシース１４を除去した部分では、上巻きテープ１３が露出する。
上巻きテープ１３には切れ目１３ａが入っているため、作業者は爪等で引っ掻くことにより、この切れ目１３ａの部分を容易に起立させることができる。
【００３２】
そして、図４（Ａ）に示すように、起立させた切れ目１３ａの部分を指で摘み、切れ目１３ａの形成方向に引っ張ると、連続的に巻かれている上巻きテープ１３を切断することができる。切れ目１３ａで切断された上巻きテープ１３を巻きほぐすことにより、上巻きテープ１３を所定長剥ぎ取ることができる。
次に、所定長の上巻きテープ１３を、例えば、エタノールに浸す一方、光ファイバテープ心線２０を光ケーブル１１’から取り出す。
【００３３】
その後、図４（Ｂ）に示した所定長の上巻きテープ１３を２つ折りして光ファイバテープ心線２０を挟み、この上巻きテープ１３を光ファイバテープ心線２０の長手方向にしごく。これにより、エタノールが光ファイバ心線２１，２２間の切欠き２７から光ファイバテープ心線２０内に入り、毛細管現象によって、図３（Ｂ）に示した一括被覆２５と着色層２１ｃとの間、一括被覆２５と着色層２２ｃとの間に浸み込む。また、エタノールは、光ファイバ心線２３，２４間の切欠き２７から光ファイバテープ心線２０内に入ると、一括被覆２５と着色層２３ｃとの間、一括被覆２５と着色層２４ｃとの間にも浸み込む。
【００３４】
続いて、作業者は、一括被覆２５を着色層２１ｃ〜２４ｃから剥ぎ取り、その内部の光ファイバ心線２１〜２４を取り出す。この結果、汎用の上巻きテープ１３を用いて製造コストを減らしつつ、作業現場で特別な工具を用いることなく、光ファイバテープ心線２０から光ファイバ心線２１〜２４を安全で簡単且つ容易に単心分離を行うことができる。
具体例に基づいて説明すると、上述のように、テープ幅２５ｍｍ、切れ目間隔１５０ｍｍの上巻きテープ１３（不織布）を用いて光ケーブル１１’を作製する。
【００３５】
そして、単心分離する際に、光ケーブル１１’からシース１４を５００ｍｍ程度除去し、露出した上巻きテープ１３の切れ目１３ａに沿って上巻きテープ１３から長さ１５０ｍｍの断片を取り出す。
この上巻きテープ１３の断片をエタノールに浸し、収納溝から取り出した光ファイバテープ心線２０にあてがった状態で長手方向に約５０ｍｍのストロークで１０回しごいたところ、光ファイバ心線に傷を付けることなく、単心に分離することができた。また、エタノールに浸した上巻きテープ１３を用いれば、光ファイバ心線の周囲に部分的に残った一括被覆２５を拭き取って容易に除去することができる。
【００３６】
なお、光ファイバテープ心線２０は、図３で説明した窪み２６や切欠き２７のあるタイプであり、光ファイバテープ心線２０のテープ厚Ｔが約０.２８ｍｍ、光ファイバ心線２１〜２４の外径Ｄは約０.２５ｍｍである。
これに対し、参考として、切欠きを有しない光ファイバテープ心線を、エタノールに浸した同様の不織布でしごいたが、３０回以上しごいても単心に分離できなかった。
【００３７】
なお、図４では、上巻きテープをエタノールに浸す例で説明したが、上巻きテープをエタノールに浸さずに、光ケーブルから取り出した光ファイバテープ心線の一括被覆にエタノールを塗布してもよい。この場合にも、エタノールは切欠きから光ファイバテープ心線内に入り、一括被覆を光ファイバ心線から容易に剥ぎ取ることができる。
【符号の説明】
【００３８】
１１，１１’…光ケーブル、１２…集合コア、１３…上巻きテープ、１３ａ…切れ目、１４…シース、１５…スロット、１５ａ…収納溝、１５ｂ…リブ、１６…テンションメンバ、１７…粗巻き、２０…光ファイバテープ心線、２１〜２４…光ファイバ心線、２１ａ…ガラス部分、２１ｂ…光ファイバ用ＵＶ樹脂層、２１ｃ〜２４ｃ…着色層、２５…一括被覆、２６…窪み、２７…切欠き。
【図１】
2014115312.tif 000003
【図２】
2014115312.tif 000004
【図３】
2014115312.tif 000005
【図４】
2014115312.tif 000006